(57)【特許請求の範囲】
【請求項１】
遮蔽しようとするエリアをロックし、ロックエリアにおける物体の特徴値を取得するステップと、
前記物体の特徴値に基づき前記ロックエリアの位置が変化しなかったことを特定した場合、前記ロックエリアに対し画像処理を行なうステップと、を含み、
前記遮蔽しようとするエリアをロックするステップは、
ユーザのタッチ操作を取得するステップと、
画像全体に対し識別分類を行なってユーザのタッチした物体の特徴値を特定するステップと、
ユーザのタッチした物体の特徴値に対応する遮蔽しようとするエリアをロックするステップと、を含み、
前記ロックエリアに対し画像処理を行なうステップは、
前記ロックエリアの輪郭及び位置情報を取得するステップと、
前記輪郭及び位置情報に基づき所定のイメージに対し整合処理を行なうステップと、
画素に応じて整合処理済みのイメージにて前記ロックエリアを順次にカバーするステップと、を含み、
前記輪郭及び位置情報に基づき所定のイメージに対し整合処理を行なうステップは、
前記ロックエリアと所定のイメージとを各々の自体の中心点を基準として合わせるステップと、
所定のイメージの面積が前記ロックエリアより大きい場合、前記ロックエリアの大きさに応じて所定のイメージを裁断する、又は、所定のイメージの面積が前記ロックエリアより小さい場合、先ず、所定のイメージを拡大処理し、前記ロックエリアの大きさに応じてそれを適宜に裁断するステップと、を含む
画像処理方法。
【請求項２】
前記物体の特徴値に基づき前記ロックエリアの位置が既に変化したことを特定した場合、前記物体の特徴値に基づき画像全体に対し識別分類を行なうとともに、位置が変化した後の遮蔽しようとするエリアをロックするステップをさらに含む
請求項１に記載の画像処理方法。
【請求項３】
遮蔽しようとするエリアをロックするステップの前に、前記遮蔽しようとするエリアをロックする方式、及び／又は、前記ロックエリアに対し画像処理を行なう方式を予め設置するステップをさらに含む
請求項１に記載の画像処理方法。
【請求項４】
遮蔽しようとするエリアをロックし、ロックエリアにおける物体の特徴値を取得するように構成される第１のエリアロックモジュールと、
前記物体の特徴値に基づき前記ロックエリアの位置変化の有無を判定して判定結果を取得するように構成される位置モニタリングモジュールと、
前記位置モニタリングモジュールにより取得された判定結果が前記ロックエリアの位置が変化しなかったことである場合、前記ロックエリアに対し画像処理を行なうように構成される画像処理モジュールと、を備え、
前記第１のエリアロックモジュールは、
ユーザのタッチ操作を取得するように構成される第１の取得ユニットと、
画像全体に対し識別分類を行なってユーザのタッチした物体の特徴値を特定するように構成される特定ユニットと、
ユーザのタッチした物体の特徴値に対応する遮蔽しようとするエリアをロックするように構成される第１のロックユニットと、を備え、
前記画像処理モジュールは、
前記ロックエリアの輪郭及び位置情報を取得するように構成される第３の取得ユニットと、
前記輪郭及び位置情報に基づき所定のイメージに対し整合処理を行なうように構成される整合処理ユニットと、
画素に応じて整合処理済みのイメージにて前記ロックエリアを順次にカバーするように構成されるカバーユニットと、を備え、
前記整合処理ユニットは、
前記ロックエリアと所定のイメージとを各々の自体の中心点を基準として合わせるステップと、
所定のイメージの面積が前記ロックエリアより大きい場合、前記ロックエリアの大きさに応じて所定のイメージを裁断する、又は、所定のイメージの面積が前記ロックエリアより小さい場合、先ず、所定のイメージを拡大処理し、前記ロックエリアの大きさに応じてそれを適宜に裁断するステップと、を行なう
画像処理装置。
【請求項５】
前記画像処理装置は、
前記位置モニタリングモジュールにより取得された判定結果が前記ロックエリアの位置が既に変化したことである場合、前記物体の特徴値に基づき画像全体に対しモジュール識別分類を行なうとともに、位置が変化した後の遮蔽しようとするエリアをロックするように構成される第２のエリアロックモジュールをさらに備える
請求項４に記載の画像処理装置。
【請求項６】
前記画像処理装置は、
前記第１のエリアロックモジュールが遮蔽しようとするエリアをロックする前に、前記遮蔽しようとするエリアをロックする方式、及び／又は、前記ロックエリアに対し画像処理を行なう方式を予め設置するように構成される設置モジュールをさらに備える
請求項４に記載の画像処理装置。
【請求項７】
請求項１〜３のいずれか１項に記載の画像処理方法を実行するためのコンピュータにより実行可能な指令が記憶されているコンピュータ読み取り可能な記録媒体。
【発明の詳細な説明】
【技術分野】
【０００１】
本発明は移動通信分野のデータ処理技術に関し、特に、画像処理方法、画像処理装置、及びコンピュータ記録媒体に関する。
【背景技術】
【０００２】
現在、スマート端末でのビデオ通話は既にユーザのよく用いる連絡方式となっている。遠隔テレビ会議、又は、電話連絡のいずれを行なっても、スマート端末のビデオ通話機能に関わる。
【発明の概要】
【発明が解決しようとする課題】
【０００３】
ただし、カメラの画素の増加やビデオ通話機能の向上につれて、ユーザのプライバシー保護に関する問題が現れてくる。例えば、ユーザがビデオ通話を行なうとき、相手に見られたくない周囲における一部の物体又は区域や、相手に見られたくない会議中のある動作又は表現や、相手に見られたくない自分のいる場所などが問題となる。
【課題を解決するための手段】
【０００４】
本発明の実施例は、ロックエリアに対し適宜な画像処理を行なうことによってユーザのプライバシーを効果的に保護できる画像処理方法、画像処理装置、及びコンピュータ記録媒体を提供する。
本発明の実施例に係る技術的案は以下のとおりである。
【０００５】
本発明の実施例は画像処理方法を提供し、当該方法は、遮蔽しようとするエリアをロックし、ロックエリアにおける物体の特徴値を取得するステップと、前記物体の特徴値に基づき前記ロックエリアの位置が変化しなかったことを特定した場合、前記ロックエリアに対し画像処理を行なうステップと、を含む。
【０００６】
一実施例において、前記遮蔽しようとするエリアをロックするステップは、ユーザのタッチ操作を取得するステップと、画像全体に対し識別分類を行なってユーザのタッチした物体の特徴値を特定するステップと、ユーザのタッチした物体の特徴値に対応する遮蔽しようとするエリアをロックするステップと、を含む。
【０００７】
一実施例において、前記遮蔽しようとするエリアをロックするステップは、ユーザの画面に対するタッチ操作を取得するステップと、前記ユーザによるタッチ画面における密閉リングに対応する遮蔽しようとするエリアをロックするステップとを含む、又は、ユーザのキー操作を取得するステップと、ユーザの前記キー操作で形成される区画標識によって特定される遮蔽しようとするエリアをロックするステップと、を含む。
【０００８】
一実施例において、前記ロックエリアに対し画像処理を行なうステップは、前記ロックエリアの輪郭及び位置情報を取得するステップと、前記輪郭及び位置情報に基づき所定のイメージに対し整合処理を行なうステップと、画素に応じて整合処理済みのイメージにて前記ロックエリアを順次にカバーするステップと、を含む。
【０００９】
一実施例において、前記ロックエリアに対し画像処理を行なうステップは、前記ロックエリアの輪郭及び位置情報を取得するステップと、前記輪郭及び位置情報に基づき前記ロックエリアに対しエッジ検出処理を行なってエッジ点の色値を抽出するステップと、抽出された全てのエッジ点の色値を算術平均して平均エッジ点の色値を取得するステップと、前記平均エッジ点の色値に基づき前記ロックエリアに色の塗り潰しするステップと、を含む。
【００１０】
一実施例において、前記方法は、さらに、前記物体の特徴値に基づき前記ロックエリアの位置が既に変化したことを特定した場合、前記物体の特徴値に基づき画像全体に対し識別分類を行なうとともに、位置が変化した後の遮蔽しようとするエリアをロックするステップを含む。
【００１１】
一実施例において、前記方法は、さらに、遮蔽しようとするエリアをロックするステップの前に、前記遮蔽しようとするエリアをロックするステップ、及び／又は、前記ロックエリアに対し画像処理を行なうステップを予め設置するステップを含む。
【００１２】
本発明の実施例はさらに画像処理装置を提供し、該装置は、遮蔽しようとするエリアをロックし、ロックエリアにおける物体の特徴値を取得するように構成される第１のエリアロックモジュールと、前記物体の特徴値に基づき前記ロックエリアの位置変化の有無を判定して判定結果を取得するように構成される位置モニタリングモジュールと、前記位置モニタリングモジュールにより取得された判定結果が前記ロックエリアの位置が変化しなかったことである場合、前記ロックエリアに対し画像処理を行なうように構成される画像処理モジュールと、を備える。
【００１３】
一実施例において、前記第１のエリアロックモジュールは、ユーザのタッチ操作を取得するように構成される第１の取得ユニットと、画像全体に対し識別分類を行なってユーザのタッチした物体の特徴値を特定するように構成される特定ユニットと、ユーザのタッチした物体の特徴値に対応する遮蔽しようとするエリアをロックするように構成される第１のロックユニットと、を備える。
【００１４】
一実施例において、前記第１のエリアロックモジュールは、ユーザの画面に対するタッチ操作を取得するように構成される第２の取得ユニットと、前記ユーザによるタッチ画面における密閉リングに対応する遮蔽しようとするエリアをロックするように構成される第２のロックユニットと、を備える、又は、ユーザのキー操作を取得するように構成される第２の取得ユニットと、ユーザの前記キー操作で形成される区画標識によって特定される遮蔽しようとするエリアをロックするように構成される第２のロックユニットと、を備える。
【００１５】
一実施例において、前記画像処理モジュールは、前記ロックエリアの輪郭及び位置情報を取得するように構成される第３の取得ユニットと、前記輪郭及び位置情報に基づき所定のイメージに対し整合処理を行なうように構成される整合処理ユニットと、画素に応じて整合処理済みのイメージにて前記ロックエリアを順次にカバーするように構成されるカバーユニットと、を備える。
【００１６】
一実施例において、前記画像処理モジュールは、前記ロックエリアの輪郭及び位置情報を取得するように構成される第４の取得ユニットと、前記輪郭及び位置情報に基づき前記ロックエリアに対しエッジ検出処理を行なってエッジ点の色値を抽出するように構成される抽出ユニットと、抽出された全てのエッジ点の色値を算術平均して平均エッジ点の色値を取得するように構成される算術平均ユニットと、前記平均エッジ点の色値に基づき前記ロックエリアに色の塗り潰しするように構成される色の塗り潰しユニットと、を備える。
【００１７】
一実施例において、前記画像処理装置は、さらに、前記位置モニタリングモジュールにより取得された判定結果が前記ロックエリアの位置が既に変化したことである場合、前記物体の特徴値に基づき画像全体に対しモジュール識別分類を行なうとともに、位置が変化した後の遮蔽しようとするエリアをロックするように構成される第２のエリアロックモジュールを備える。
【００１８】
一実施例において、前記画像処理装置は、さらに、前記第１のエリアロックモジュールが遮蔽しようとするエリアをロックする前に、前記遮蔽しようとするエリアをロックするステップ、及び／又は、前記ロックエリアに対し画像処理を行なうステップを予め設置するように構成される設置モジュールを備える。
【００１９】
本発明の実施例は、さらに、実施例に記載の画像処理方法を実行するためのコンピュータにより実行可能な指令が記憶されているコンピュータ記録媒体を提供する。
【発明の効果】
【００２０】
本発明の実施例で提供する画像処理方法、画像処理装置、及びコンピュータ記録媒体において、遮蔽しようとするエリアをロックしてロックエリアにおける物体の特徴値を取得し、前記物体の特徴値に基づき前記ロックエリアの位置が変化しなかったことを特定した場合、前記ロックエリアに対し画像処理を行なう。これにより、ロックエリアに対し適宜な画像処理を行なうことでユーザのプライバシー保護を効果的に実現できる。
【図面の簡単な説明】
【００２１】
【図１】本発明の実施例に係る画像処理方法のフローを示す模式図である。
【図２】本発明の実施例に係る画像処理方法におけるオートロックによる遮蔽しようとするエリアのロックフローを示す模式図である。
【図３】本発明の実施例に係る画像処理方法におけるマニュアルロックによる遮蔽しようとするエリアのロックフローを示す模式図である。
【図４】本発明の実施例に係る画像処理方法におけるマニュアルロックによる遮蔽しようとするエリアの他のロックフローを示す模式図である。
【図５】本発明の実施例に係る画像処理方法における所定のイメージに基づきロックエリアをカバーするフローを示す模式図である。
【図６】本発明の実施例に係る画像処理方法における平均エッジ点の色値に基づきロックエリアに色の塗り潰しするフローを示す模式図である。
【図７】本発明の実施例に係る画像処理方法の他のフローを示す模式図である。
【図８】本発明の実施例に係る画像処理方法のさらに他のフローを示す模式図である。
【図９】本発明の実施例に係る画像処理装置の構成を示す模式図である。
【図１０】本発明の実施例に係る画像処理装置における第１のエリアロックモジュールの構成を示す模式図である。
【図１１】本発明の実施例に係る画像処理装置における第１のエリアロックモジュールの他の構成を示す模式図である。
【図１２】本発明の実施例に係る画像処理装置における画像処理モジュールの構成を示す模式図である。
【図１３】本発明の実施例に係る画像処理装置における画像処理モジュールの他の構成を示す模式図である。
【図１４】本発明の実施例に係る画像処理装置の他の構成を示す模式図である。
【図１５】本発明の実施例に係る画像処理装置のさらに他の構成を示す模式図である。
【発明を実施するための形態】
【００２２】
以下、添付した図面及び具体的な実施例を参照しながら本発明に対してより詳細に説明する。
【００２３】
本発明の実施例において、遮蔽しようとするエリアをロックするとともにロックエリアにおける物体の特徴値を取得する。また、前記物体の特徴値に基づき前記ロックエリアの位置が変化しなかったことを特定した場合、前記ロックエリアに対し画像処理を行なう。
ビデオ通話の実例において、本発明の実施例に係る上記の画像処理方法を実行する前に、ビデオ通話をしている端末の遮蔽機能を起動させなければならない。
【００２４】
図１は、本発明の実施例に係る画像処理方法のフローを示す模式図である。図１に示すように、本発明の実施例に係る画像処理方法は下記のステップ１０及びステップＳ２０を含む。
ステップＳ１０において、遮蔽しようとするエリアをロックするとともにロックエリアにおける物体の特徴値を取得する。
ここで、前記遮蔽しようとするエリアをロックするステップは、オートロック及びマニュアルロックにより実現できる。前記遮蔽しようとするエリアをロックする具体的な過程については後述の図２及び図３を参照しながら詳しく説明を行なう。
【００２５】
前記ロックエリアにおける物体の特徴値を取得するステップは、現在のビデオにおける画像全体に対し識別分類を行なうとともに、前記識別分類を行う時に用いる識別アルゴリズムに基づきロックエリアにおける物体の特徴を抽出することによって、ロックエリアにおける物体の特徴値を取得することができる。なお、本発明の実施例は、その用いる識別アルゴリズムを限定しないものである。
【００２６】
ステップＳ２０において、前記物体の特徴値に基づき前記ロックエリアの位置が変化しなかったことを特定した場合、前記ロックエリアに対し画像処理を行なう。
具体的には、取得された物体の特徴値が現在の画像における前記ロックエリアにおける物体の特徴値と同一であるか否かを判定し、同一であると判定した場合、前記ロックエリアの位置が変化しなかったことを特定できる一方、同一ではないと判定した場合、前記ロックエリアの位置が既に変化したことを特定できる。
【００２７】
ここで、前記ロックエリアに対し画像処理を行なうステップは、所定のイメージに基づき前記ロックエリアをカバーするステップ、又は、平均エッジ点の色値に基づき前記ロックエリアに色の塗り潰しするステップを含む。前記ロックエリアに対し画像処理を行なう具体的な過程については後述の図４〜６を参照しながら詳しく説明を行なう。
【００２８】
ビデオ通話の実例において、本発明の実施例に係る前記画像処理方法を実行する前に、ビデオ通話をしている端末の遮蔽機能を起動させなければならない。実際的に応用する際に、ユーザによるトリガー操作によって、ビデオ通話をしている端末の遮蔽機能をトリガーして起動させることができる。具体的には、起動ボタン又は起動オプションを生成して、前記起動ボタン又は起動オプションに対するトリガー操作を取得すると、ビデオ通話をしている端末の遮蔽機能を起動させる。ここで、前記トリガーはクリックやタッチなどであり得る。また、本発明の実施例において、遮蔽機能をデフォルトで起動させることもできる。例えば、ユーザがビデオ通話をすると同時に、ビデオ通話をしている端末の遮蔽機能をデフォルトで起動させる。
【００２９】
また、本発明の実施例に係る画像処理方法を実現する際に、ユーザによるトリガー操作によって、ビデオ通話をしている端末の遮蔽機能をいつでもトリガーしてオフ（ＯＦＦ）することができる。具体的には、オフボタン又はオフオプションを生成して、前記オフボタン又はオフオプションに対するトリガー操作を取得すると、ビデオ通話をしている端末の遮蔽機能を即時にオフすることができる。それにより、ビデオ通話している間に、ユーザはロックエリアに対する遮蔽をいつでも取り消して初期ビデオに戻すことができる。
【００３０】
図２を参照すると、図２は本発明の実施例に係る画像処理方法におけるオートロックによる遮蔽しようとするエリアのロックフローを示す模式図である。
上記の実施例において、オートロックで遮蔽しようとするエリアをロックするとき、前記遮蔽しようとするエリアをロックするステップは、以下のステップＳ２１乃至Ｓ２３を含む。
【００３１】
ステップＳ２１において、ユーザのタッチ操作を取得する。
ステップＳ２２において、画像全体に対し識別分類を行なってユーザのタッチした物体の特徴値を特定する。
ここで、ステップＳ２１〜Ｓ２２は具体的に以下のとおりである。ユーザは端末におけるタッチ画面を介して遮蔽の必要がある物体に対しタッチ操作を行い、端末がユーザによるタッチ操作を取得すると、現在のビデオにおける画像全体に対し識別分類を行なう。これとともに、識別分類を行う時の識別アルゴリズムにてユーザのタッチした物体の特徴を抽出し、ユーザのタッチした物体の特徴値を特定する。
【００３２】
ステップＳ２３において、ユーザのタッチした物体の特徴値に対応する遮蔽しようとするエリアをロックする。
具体的には、ユーザのタッチした物体の特徴値に基づき遮蔽しようとするエリアを特定した後、前記遮蔽しようとするエリアをロックする。
【００３３】
図３を参照すると、図３は本発明の実施例に係る画像処理方法におけるマニュアルロックによる遮蔽しようとするエリアのロックフローを示す模式図である。
【００３４】
上記の実施例において、マニュアルロックで遮蔽しようとするエリアをロックするとき、前記遮蔽しようとするエリアをロックするステップは、ユーザの画面に対するタッチ操作を取得するステップＳ３１と、前記ユーザによるタッチ画面における密閉リングに対応する遮蔽しようとするエリアをロックするステップＳ３２と、を含む。
具体的には、ユーザは端末におけるタッチ画面における密閉リングによって遮蔽の必要があるエリアを区画し、端末がユーザの画面に対するタッチ操作を取得すると、ユーザによるタッチ画面における密閉リングに対応する遮蔽しようとするエリアをロックする。ここで、前記密閉リングの規則及び形状については限定されず、密閉のものであればよい。
【００３５】
ここで、ステップＳ３１及びＳ３２によって前記遮蔽しようとするエリアのロックを実現する場合、端末はタッチ可能な端末でなければならない。
ステップＳ３１及びＳ３２によって遮蔽しようとするエリアのロックを完成した後、さらに現在のビデオにおける画像全体に対し識別分類を行なう。前記識別分類を行なう際に用いる識別アルゴリズムに基づきロックエリアにおける物体の特徴を抽出し、ロックエリアにおける物体の特徴値を取得する。
【００３６】
図４を参照すると、図４は本発明の実施例に係る画像処理方法におけるマニュアルロックによる遮蔽しようとするエリアの他のロックフローを示す模式図である。
【００３７】
上記の実施例において、マニュアルロックで遮蔽しようとするエリアをロックするとき、前記遮蔽しようとするエリアをロックするステップは、さらに、ユーザのキー操作を取得するステップＳ４１と、ユーザの前記キー操作で形成される区画標識によって特定される遮蔽しようとするエリアをロックするステップＳ４２と、を含む。
具体的には、ユーザはキー操作によって遮蔽しようとするエリアを区画標識し、端末がユーザのキー操作を取得すると、ユーザの前記キー操作で形成される区画標識によって特定される遮蔽しようとするエリアをロックする。
【００３８】
ここで、ステップＳ４１及びＳ４２によって遮蔽しようとするエリアのロックを実現する際に、端末がタッチ可能か否かについては限定しない。
ステップＳ４１及びＳ４２によって遮蔽しようとするエリアのロックを完成した後、さらに現在のビデオにおける画像全体に対し識別分類を行なう。前記識別分類を行なう際に用いる識別アルゴリズムに基づきロックエリアにおける物体の特徴を抽出し、ロックエリアにおける物体の特徴値を取得する。
【００３９】
なお、ユーザは初めて図２〜図４に示す任意の方法フローによって図１に示すフローにおける遮蔽しようとするエリアのロックを完成した後、その後のステップＳ２０を直接的に行なう。その後、ユーザが図２〜図４に示す任意の方法フローによって図１に示すフローにおける遮蔽しようとするエリアのロックを完成するたびに、前記物体の特徴値がその前のステップＳ１０で取得されたロックエリアにおける物体の特徴値と一致するのか否かを特定しなければならず、一致すると特定した場合、今回ロックした遮蔽しようとするエリアが今回の操作フローの前に既にロックされていることを示しフローを終了させる一方、一致しないと特定した場合、図１に示す後続の操作フローを引続き行なう。
【００４０】
図５を参照すると、図５は本発明の実施例に係る画像処理方法における所定のイメージに基づき前記ロックエリアをカバーするフローを示す模式図である。
【００４１】
上記の実施例において、所定のイメージに基づき前記ロックエリアをカバーすることによって前記ロックエリアに対し画像処理を行なう場合、前記ロックエリアに対し画像処理を行なうステップは、以下のステップＳ５１乃至Ｓ５３を含む。
ステップＳ５１において、前記ロックエリアの輪郭及び位置情報を取得する。
ステップＳ５２において、前記輪郭及び位置情報に基づき所定のイメージに対し整合処理を行なう。
【００４２】
ここで、所定のイメージに対し整合処理を行なうステップは、前記ロックエリアと所定のイメージとを各々の自体の中心点を基準として合わせるステップＡと、所定のイメージの面積が前記ロックエリアより大きい場合、前記ロックエリアの大きさに応じて所定のイメージを裁断する、又は、所定のイメージの面積が前記ロックエリアより小さい場合、先ず、所定のイメージを拡大処理し、そして、前記ロックエリアの大きさに応じてそれを適宜に裁断するステップＢと、を含む。
【００４３】
ステップＳ５３において、画素に応じて整合処理済みのイメージにて前記ロックエリアを順次にカバーする。
なお、先ず、所定のイメージの数をＮとし、前記選定エリアの数をＭとする。このように、所定のイメージに基づき前記ロックエリアをカバーすることによって前記ロックエリアに対し画像処理を行なう場合、Ｍ＜Ｎを満たすと、ステップＳ５２を実行するときに、順次にＭ個のロックエリアとユーザにより選択された所定のイメージにおける前のＭ枚とを整合処理する一方、そうでないと、ステップＳ５２を実行するときに、所定のイメージの数が不足するので、所定のイメージを順次に循環利用して所定のイメージと前記ロックエリアとの整合処理を完成できる。
【００４４】
図６を参照すると、図６は本発明の実施例に係る画像処理方法における平均エッジ点の色値に基づき前記ロックエリアに色の塗り潰しするフローを示す模式図である。
上記の実施例において、平均エッジ点の色値に基づき前記ロックエリアに色の塗り潰しすることによって前記ロックエリアに対し画像処理を行なう場合、前記ロックエリアに対し画像処理を行なうステップは、前記ロックエリアの輪郭及び位置情報を取得するステップＳ６１と、前記輪郭及び位置情報に基づき前記ロックエリアに対しエッジ検出処理を行なってエッジ点の色値を抽出するステップＳ６２と、抽出された全てのエッジ点の色値を算術平均して平均エッジ点の色値を取得するステップＳ６３と、前記平均エッジ点の色値に基づき前記ロックエリアに色の塗り潰しするステップＳ６４と、を含む。
【００４５】
図７を参照すると、図７は本発明の実施例に係る画像処理方法の他のフローを示す模式図である。
【００４６】
上記の実施例に基づいて、前記物体の特徴値に基づき前記ロックエリアの位置が既に変化したことを特定した場合、前記方法は、さらに、前記物体の特徴値に基づき画像全体に対し識別分類を行なうとともに、位置が変化した後の遮蔽しようとするエリアをロックするステップＳ３０を含む。
ステップＳ３０の実行後、ロックエリアに対する画像処理、及び画像処理後の対応するビデオストリームの送信を引続き実行することができる。
【００４７】
図８を参照すると、図８は本発明の実施例に係る画像処理方法のさらに他のフローを示す模式図である。
【００４８】
上記の実施例に基づいて、ステップＳ１０を実行する前に、該方法は、さらに、前記遮蔽しようとするエリアをロックするステップ、及び／又は、前記ロックエリアに対し画像処理を行なうステップを予め設置するステップＳ１１を含む。
本実施例において、前記遮蔽しようとするエリアをロックするステップの前に、ユーザは、前記遮蔽しようとするエリアをロックするステップを、オートロック又はマニュアルロックで実現されるように予め設置することができるとともに、前記ロックエリアに対し画像処理を行なうステップを、所定のイメージに基づき前記ロックエリアをカバーする、及び／又は、平均エッジ点の色値に基づき前記ロックエリアに色の塗り潰しするように予め設置することができる。
【００４９】
実際的に応用する際に、前記遮蔽しようとするエリアをロックするステップの前に、前記遮蔽しようとするエリアをロックするステップ、及び、前記ロックエリアに対し画像処理を行なうステップを予め設置しない場合、ユーザは、画像処理方法を具体的に実行する際に、前記遮蔽しようとするエリアをロックするステップ、及び、前記ロックエリアに対し画像処理を行なうステップを、リアルタイムで設置することができる。
【００５０】
ユーザが予め設置しないとともに具体的に実行する際にもリアルタイムで設置しない場合、前記遮蔽しようとするエリアをロックするステップと、その後の前記ロックエリアに対し画像処理を行なうステップとをデフォルトで実行する。
しかしながら、操作の速さ及び利便性を考慮して、前記遮蔽しようとするエリアをロックするステップの前に、前記遮蔽しようとするエリアをロックするステップ、及び、前記ロックエリアに対し画像処理を行なうステップを予め設置するようユーザに提案する。予め設置しなかった場合、画像処理方法を具体的に実行する際に、デフォルトを用いることが好ましい。
【００５１】
本発明の実施例は、さらに、コンピュータ記録媒体を提供する。前記コンピュータ記録媒体には、本発明の実施例に記載の画像処理方法を実行するためのコンピュータにより実行可能な指令が記憶されている。
【００５２】
図９は、本発明の実施例に係る画像処理装置の構成を示す模式図である。図９に示すように、本発明の実施例に係る画像処理装置は、第１のエリアロックモジュール１０、位置モニタリングモジュール２０、及び画像処理モジュール３０を備える。
前記第１のエリアロックモジュール１０は、遮蔽しようとするエリアをロックするとともにロックエリアにおける物体の特徴値を取得するように構成される。
ここで、前記第１のエリアロックモジュール１０により遮蔽しようとするエリアをロックするステップは、オートロック及びマニュアルロックにて行ってもよい。
【００５３】
一実施例において、図１０に示すように、オートロックにて遮蔽しようとするエリアをロックする場合、前記第１のエリアロックモジュール１０は第１の取得ユニット１０１、特定ユニット１０２、及び第１のロックユニット１０３を備える。
前記第１の取得ユニット１０１は、ユーザのタッチ操作を取得するように構成される。
前記特定ユニット１０２は、画像全体に対し識別分類を行なってユーザのタッチした物体の特徴値を特定するように構成される。
前記第１のロックユニット１０３は、ユーザのタッチした物体の特徴値に対応する遮蔽しようとするエリアをロックするように構成される。
【００５４】
一実施例において、図１１に示すように、マニュアルロックにて遮蔽しようとするエリアをロックする場合、前記第１のエリアロックモジュール１０は、第２の取得ユニット１０４、及び第２のロックユニット１０５を備える。
前記第２の取得ユニット１０４は、ユーザの画面に対するタッチ操作を取得するように構成され、前記第２のロックユニット１０５は、前記ユーザによるタッチ画面における密閉リングに対応する遮蔽しようとするエリアをロックするように構成される、又は、前記第２の取得ユニット１０４は、ユーザのキー操作を取得するように構成され、前記第２のロックユニット１０５は、ユーザの前記キー操作で形成される区画標識によって特定される遮蔽しようとするエリアをロックするように構成される。
【００５５】
前記位置モニタリングモジュール２０は、第１のエリアロックモジュール１０により取得された前記物体の特徴値に基づき前記ロックエリアの位置変化の有無を判定して判定結果を取得するように構成される。
具体的には、取得された物体の特徴値が現在の画像中の前記ロックエリアにおける物体の特徴値と同一であるか否かを判定し、同一であると判定された場合、前記ロックエリアの位置が変化しなかったことを特定できるが、同一でないと判定された場合、前記ロックエリアの位置が既に変化したことを特定できる。
【００５６】
前記画像処理モジュール３０は、前記位置モニタリングモジュール２０により取得された判定結果が前記ロックエリアの位置が変化しなかったことである場合、前記ロックエリアに対し画像処理を行なうように構成される。
ここで、前記画像処理モジュール３０による前記ロックエリアに対し画像処理を行なうステップは、所定のイメージに基づき前記ロックエリアをカバーするステップ、又は、平均エッジ点の色値に基づき前記ロックエリアに色の塗り潰しするステップを含む。
【００５７】
一実施例において、図１２に示すように、所定のイメージに基づき前記ロックエリアをカバーする場合、前記画像処理モジュール３０は第３の取得ユニット３０１、整合処理ユニット３０２、及びカバーユニット３０３を備える。
【００５８】
前記第３の取得ユニット３０１は、前記ロックエリアの輪郭、及び位置情報を取得するように構成される。
前記整合処理ユニット３０２は、前記輪郭及び位置情報に基づき所定のイメージに対し整合処理を行なうように構成される。
前記カバーユニット３０３は、画素に応じて整合処理済みのイメージにて前記ロックエリアを順次にカバーするように構成される。
【００５９】
一実施例において、図１３に示すように、平均エッジ点の色値に基づき前記ロックエリアに色の塗り潰しするとき、前記画像処理モジュール３０は、第４の取得ユニット３０４、抽出ユニット３０５、算術平均ユニット３０６、及び色の塗り潰しユニット３０７を備える。
【００６０】
前記第４の取得ユニット３０４は、前記ロックエリアの輪郭及び位置情報を取得するように構成される。
前記抽出ユニット３０５は、前記輪郭及び位置情報に基づき前記ロックエリアに対しエッジ検出処理を行なってエッジ点の色値を抽出するように構成される。
前記算術平均ユニット３０６は、抽出されたエッジ点の色値を算術平均して平均エッジ点の色値を取得するように構成される。
前記色の塗り潰しユニット３０７は、前記平均エッジ点の色値に基づき前記ロックエリアに色の塗り潰しするように構成される。
【００６１】
図１４を参照すると、図１４は本発明の実施例に係る画像処理装置の他の構成を示す模式図である。
【００６２】
上記の実施例に基づいて、前記画像処理装置は第２のエリアロックモジュール２１をさらに備える。
前記第２のエリアロックモジュール２１は、前記位置モニタリングモジュール２０により取得された判定結果が前記ロックエリアの位置が既に変化したことである場合、前記物体の特徴値に基づき画像全体に対しモジュール識別分類を行なうとともに位置変化した後の遮蔽しようとするエリアをロックするように構成される。
【００６３】
図１５を参照すると、図１５は本発明の実施例に係る画像処理装置のさらに他の構成を示す模式図である。
【００６４】
上記の実施例に基づいて、前記画像処理装置は設置モジュール１１をさらに備える。
前記設置モジュール１１は、第１のエリアロックモジュール１０が遮蔽しようとするエリアをロックする前に、前記遮蔽しようとするエリアをロックするステップ、及び／又は、前記ロックエリアに対し画像処理を行なう前記ステップを予め設置するように構成される。
【００６５】
本発明の実施例に提供される画像処理装置における各モジュール、及び各モジュールにそれぞれ含まれるユニットは、何れも画像処理装置におけるプロセッサにより実現され得るし、具体的な論理回路により実現され得る。例えば、実際的応用において、画像処理装置に実装される中央処理装置（ＣＰＵ、Ｃｅｎｔｒａｌ  Ｐｒｏｃｅｓｓｉｎｇ  Ｕｎｉｔ）、デジタル・シグナル・プロセッサ（ＤＳＰ、Ｄｉｇｉｔａｌ  Ｓｉｇｎａｌ  Ｐｒｏｃｅｓｓｏｒ）、又は、フィールド・プログラマブル・ゲート・アレイ（ＦＰＧＡ、Ｆｉｅｌｄ  Ｐｒｏｇｒａｍｍａｂｌｅ  Ｇａｔｅ  Ａｒｒａｙ）により実現され得る。
【００６６】
当業者は、本発明の実施例が方法、システム、又はコンピュータプログラム製品として提供され得ることを理解すべきである。したがって、本発明は、ハードウェア実施例、ソフトウェア実施例、又は、ソフトウェアとハードウェアとを組み合わせる実施例を用いることができる。且つ、本発明は、コンピュータで利用可能なプログラムコードを含有する一つ、又は、複数のコンピュータで読取り可能な記録媒体（ディスクメモリや光学メモリなど含んでもよいが、これらに限定されない）で実施可能なコンピュータプログラム製品を用いることができる。
【００６７】
本発明は、本発明の実施例に基づく方法、設備（システム）、及びコンピュータプログラム製品のフローチャート及び／又はブロック図を参照して説明を行なう。コンピュータプログラム指令によって、フローチャート及び／又はブロック図におけるそれぞれのフロー及び／又はブロック、及びフローチャート及び／又はブロック図におけるフロー及び／又はブロックの組合せを実現できることを理解すべきである。これらのコンピュータプログラム指令を、汎用のコンピュータ、専用のコンピュータ、組み込みフロー又は他のプログラム可能なデータ処理設備のプロセッサに適用することによって、機器を構成して、コンピュータ又は他のプログラム可能なデータ処理設備のプロセッサにて実行される指令により、フローチャートの一つのフロー又は複数のフロー及び／又はブロック図の一つのブロック又は複数のブロックに指定される機能を果たす装置を提供できる。
【００６８】
これらのコンピュータプログラム指令は、コンピュータ又は他のプログラム可能なデータ処理設備を特別な形態にて作動させるように案内できるコンピュータで読み取り可能なメモリに記憶することもでき、これにより、該コンピュータで読み取り可能なメモリに記憶される指令に、フローチャートにおける一つのフロー又は複数のフロー及び／又はブロック図における一つのブロック又は複数のブロックに指定される機能を実現する指令装置を含む製造品を生成させる。
【００６９】
これらのコンピュータプログラム指令は、コンピュータ又は他のプログラム可能なデータ処理設備に記憶することもでき、これにより、コンピュータ又は他のプログラム可能な設備で、一連の操作ステップを実行してコンピュータによる処理を生成し、コンピュータ又は他のプログラム可能な設備で実行される指令は、フローチャートにおける一つのフロー又は複数のフロー及び／又はブロック図における一つのブロック又は複数のブロックに指定される機能を実現するためのステップを提供する。
【００７０】
上記は本発明の実施例の実施の形態だけであり、当業者にとって、本発明の実施例の主旨から逸脱しない限り、若干の改良や加工を行なうことができると理解するべきである。これらの改良や加工も本発明の実施例の保護範囲として見られるべきである。
【産業上の利用可能性】
【００７１】
本発明の実施例は、遮蔽しようとするエリアをロックすることによってロックエリアにおける物体の特徴値を取得する。前記物体の特徴値に基づき前記ロックエリアの位置が変化しなかったことを特定した場合、前記ロックエリアに対し画像処理を行なう。このようにして、ロックエリアに対し適宜な画像処理を行なうことによってユーザのプライバシー保護を効果的に実現できる。
【図１】
0006383101.tif 000002
【図２】
0006383101.tif 000003
【図３】
0006383101.tif 000004
【図４】
0006383101.tif 000005
【図５】
0006383101.tif 000006
【図６】
0006383101.tif 000007
【図７】
0006383101.tif 000008
【図８】
0006383101.tif 000009
【図９】
0006383101.tif 000010
【図１０】
0006383101.tif 000011
【図１１】
0006383101.tif 000012
【図１２】
0006383101.tif 000013
【図１３】
0006383101.tif 000014
【図１４】
0006383101.tif 000015
【図１５】
0006383101.tif 000016